(57)【要約】      （修正有）【課題】不法侵入者が在宅時に解錠することを防止するために用いられるドアノブに簡単に取り付けることのできるサムターンロック装置を提供する。【解決手段】室内側からサムターン３によって施錠／解錠可能なシリンダー錠を具備するドアノブ２に着脱自在であるサムターンロック装置１であって、ドアノブ２の軸４を、着脱自在に挟み込む装着部１０と、装着端部２１を中心として回動自在に装着部１０に取り付けられ、サムターン３を施錠位置に固定するための固定アーム２０とによって構成される。【選択図】図１
0003185594.tif 000002
【実用新案登録請求の範囲】
【請求項１】
室内側からサムターンによって施錠／解錠可能なシリンダー錠を具備するドアノブに着脱自在であるサムターンロック装置であって、
前記ドアノブの軸を、着脱自在に挟み込む装着部と、
該装着部に回動自在に取り付けられ、前記サムターンを施錠位置固定するための固定アームとによって構成されることを特徴とするサムターンロック装置。
【請求項２】
前記装着部は、ドアノブの軸を挟み込む一対の挟み込み部と、該挟み込み部のそれぞれと支点を介して連結され、前記挟み込み部を開閉するための一対のレバー部と、該一対のレバー部に設けられ、前記挟み込み部を閉じる方向に付勢する付勢手段とによって構成されることを特徴とする請求項１記載のサムターンロック装置。
【請求項３】
前記固定アームは、前記装着部の挟み込み部の一方に設けられた支持部に回動自在に装着される装着端部と、該装着端部から前記ドアノブ前面に向かって延出する延出アーム部と、該延出アーム部から前記ドアノブ前面に沿って延出し、前記サムターンが噛合する噛合隙間が形成された固定部とによって構成されることを特徴とする請求項１又は２に記載のサムターンロック装置。
【請求項４】
前記挟み込み部の前記ドアノブの軸と接触する部分には、高摩擦部材が配されることを特徴とする請求項２又は３記載のサムターンロック装置。
【考案の詳細な説明】
【技術分野】
【０００１】
本考案は、サムターン付のドアノブに着脱自在に設置でき、サムターンを固定して外部からの鍵の開閉を阻止するサムターンロック装置に関する。
【背景技術】
【０００２】
特許文献１（実開昭６２−１４０６１号公報）は、サムターン付きのドアノブの外周にロックレバーをドアノブの軸方向に沿って嵌脱自在に埋め込んであると共に、該ロックレバーのドアノブ前端側の端部を回転自在に枢支してあり、このロックレバーを回動してサムターンと交差する状態でサムターンとロックレバーが互いに嵌り合う係止溝をサムターンあるいはロックレバーのいずれか一方乃至双方に設けることを特徴とする二重ロック装置を開示する。これによって、室内に滞在している場合には、ロックレバーを回動させてサムターンに嵌め込むことによって、室外から不審者が合い鍵を使用して錠を解除しようとしてもサムターンが回転しないため、鍵の解除を防止することができるものである。
【０００３】
特許文献２（実開平６−２０８１１号公報）は、操作タブに設けたフック状部（サムターン）と、ドアフレームの側面に回動自在に連結し、操作タブのフック状部に係合する溝孔を有する閂部材を有する閂手段とを備える安全ロック機構を開示する。これによって、室内に滞在している時に、ドアフレームの側面に固定されたベースプレートに回動自在に設けられた閂部材によってサムターンを固定するようにしたため、室外から不審者が合い鍵を使用して錠を解除しようとしてもサムターンが回転しないため、鍵の解除を防止することができるものである。
【０００４】
特許文献３（実用新案登録第３０３９３８９号公報）は、家や部屋の外部からドアの鍵以外に異なる機構のドアノブの固定具を使用してロックするドアノブの固定具を開示する。この固定具は、ドアのサイドに取り付け、壁や固定具を頑丈に固定することができ、また可動式で在宅中や在室中時等、使用しないときには、サイドボックスの中に収納するようになっている。
【０００５】
特許文献４（特開２００２−３２７５６１号公報）は、外部からの不法なドア解錠操作を早期に感知し、解錠操作中に警報を発するドア解錠警報装置を開示する。このドア解錠警報装置は、ドアノブに装嵌する警報装置ケースに、サムターンと契合する溝付きロータを内蔵し、ロータの回転角を、ドアノブ回転角あるいはドア固定部と比較して角度差を検知するスイッチをケース内に設けたもので、検知スイッチが設定値以上の角度差を検知すると警報を発する回路及びアラームをケース内に組み込んだものである。
【先行技術文献】
【特許文献】
【０００６】
【特許文献１】実開昭６２−１４０６１号公報
【特許文献２】実開平６−２０８１１号公報
【特許文献３】登録実用新案第３０３９３８９号公報
【特許文献４】特開２００２−３２７５６１号公報
【考案の概要】
【考案が解決しようとする課題】
【０００７】
上述した特許文献に記載されているように、近年では、合い鍵を持った不法侵入者や、鍵開け技術を持った不法侵入者を防止することが要求される。このため、特許文献１では、サムターンにロックレバーを嵌め込んで固定する構造であるが、ドアノブ自体をこの構造のものに交換する必要があるため、費用がかかるという問題点がある。
【０００８】
特許文献２に開示される安全ロック機構では、ドアフレームの側面にベースプレートを接着剤又はネジによって固定することから、自宅以外では勝手に取り付けることができないという問題点があり、またドアノブのサムターンへの位置合わせが難しいという問題点がある。
【０００９】
特許文献３に開示されるドアノブの固定具は、ドアの近傍にサイドボックスを配置するためのスペースが必要となるため、スペースがないドアには取り付けることができないという問題が生じる。
【００１０】
以上のことから、本考案は、合い鍵を持っている不法侵入者や、解錠を行うことのできる不法侵入者が在宅時に解錠することを防止するために用いられるドアノブに簡単に取り付けることのできるサムターンロック装置を提供する。
【課題を解決するための手段】
【００１１】
したがって、本考案に係るサムターンロック装置は、室内側からサムターンによって施錠／解錠可能なシリンダー錠を具備するドアノブに着脱自在であるサムターンロック装置であって、前記ドアノブの軸を、着脱自在に挟み込む装着部と、該装着部に回動自在に取り付けられ、前記サムターンを施錠位置固定するための固定アームとによって構成されるものである。
【００１２】
これによって、装着部がドアノブの軸に対して着脱自在であることから、必要な時にドアノブに装着部を装着して、固定アームによって施錠位置にあるサムターンを固定することができるため、ドアノブ自体及びドアの周辺に特別な構造を付けることなく、サムターンの回転をロックすることができるものである。
【００１３】
また、前記装着部は、ドアノブの軸を挟み込む一対の挟み込み部と、該挟み込み部のそれぞれと支点を介して連結され、前記挟み込み部を開閉するための一対のレバー部と、該一対のレバー部に設けられ、前記挟み込み部を閉じる方向に付勢する付勢手段とによって構成されることが望ましい。
【００１４】
これによって、一対のレバー部を握ることによって一対の挟み込み部が開くことができ、ドアノブの軸に簡単に装着することができるものである。
【００１５】
さらに、前記固定アームは、前記装着部の挟み込み部の一方に設けられた支持部に回動自在に装着される装着端部と、該装着端部から前記ドアノブ前面に向かって延出する延出アーム部と、該延出アーム部から前記ドアノブ前面に沿って延出し、前記サムターンが噛合する噛合隙間が形成された固定部とによって構成されることが望ましい。
【００１６】
これによって、ドアノブの軸に装着した後、固定アームを、装着端部を支点として回動させ、固定アームの先端に形成された固定部の噛合隙間にサムターンを噛合させて固定するようにするものである。
【００１７】
さらにまた、前記挟み込み部の前記ドアノブの軸と接触する部分には、高摩擦部材が配されることが望ましい。前記高摩擦部材としては、ゴム、合成樹脂等であることが望ましい。
【００１８】
これによって、挟み込み部のグリップ力を向上させることができるため、サムターンのロックを確実なものにできるものである。
【考案の効果】
【００１９】
以上のように、本考案によれば、ドアノブへの着脱が容易であると共に、簡易な構造でサムターンの回動をロックすることができるため、在宅時に合い鍵による不審者の侵入、またサムターン回しや不法解錠行為による不審者の侵入を防止することができるものである。また、ドアノブの周辺の枠や壁への固定がないため、その室の所有者への許可等が不要であるという利点がある。
【図面の簡単な説明】
【００２０】
【図１】本考案の実施例に係るサムターンロック装置を装着した状態を示した説明図である。
【図２】本考案に実施に係るサムターンロック装置の装着した状態を示した平面図である。
【図３】本考案の実施例に係るサムターンロック装置の平面図である。
【図４】本考案の実施例に係るサムターンロック装置の正面図である。
【考案を実施するための形態】
【００２１】
以下、この考案の実施例について図１乃至図４により説明する。
【実施例】
【００２２】
本考案に係るサムターンロック装置１は、図１及び図２に示すように、室内側からサムターン３によって施錠／解錠可能なシリンダー錠を具備するドアノブ２の軸４に着脱自在である。このサムターンロック装置１は、前記ドアノブ２の軸４を、着脱自在に挟み込む装着部１０と、該装着部１０に回動自在に取り付けられ、前記サムターン３を施錠位置固定するための固定アーム２０とによって構成される。
【００２３】
前記装着部１０は、ドアノブ２の軸４を挟み込む一対の挟み込み部１１，１２と、該挟み込み部１１，１２のそれぞれと支点１３を介して連結され、前記挟み込み部１１，１２を開閉するための一対のレバー部１４，１５と、該一対のレバー部１４，１５に設けられ、前記挟み込み部１１，１２を閉じる方向に付勢する付勢手段、例えばスプリング１６とによって構成される。また、前記一方の挟み込み部１１と一方のレバー部１４とは一体に合成樹脂等によって成形され、同時に前記他方の挟み込み部１２と他方のレバー部１５も同様に合成樹脂等によって一体に成形される。
【００２４】
前記固定アーム２０は、前記装着部１０の挟み込み部１１，１２の一方（例えば１１）に設けられた支持部１７に回動自在に装着される装着端部２１と、該装着端部２１から前記ドアノブ２前面に向かって延出する延出アーム部２２と、該延出アーム部２２から前記ドアノブ２前面に沿って延出し、前記サムターン３が噛合する噛合隙間２４が形成された固定部２３とによって構成される。また、この固定アーム２０は、所定の強度が必要なため、金属製であることが望ましい。また、固定アーム２０の固定部２３は、前記ドアノブ２の前面のサムターン３が配置される面の形状に対応するように曲がっていることが望ましく、さらにドアノブ２の前面に嵌り込むように、所定の弾性力を有していることが望ましい。また、この実施例では、支持部１７を片持ちとしたが、支持部１７を両側から支持するようにしても良いものである。
【００２５】
さらに、前記挟み込み部１１，１２の前記ドアノブ２の軸４と接触する部分、いわゆる内周面には、高い摩擦力を有するゴム、合成樹脂等からなる高摩擦部材３０が配される。
【００２６】
以上の構成のサムターンロック装置１において、住人が在宅若しくは在室する場合、前記レバー部１４，１５を握って前記挟み込み部１１，１２を開いて、ドアノブ２の軸４に装着し、前記固定アーム２０を移動させて、施錠位置に移動したサムターン３を噛合隙間２４で挟み込み固定するものである。これによって、外部から鍵を廻そうとしても、サムターン３の回転が阻害されるため、解錠ができず、部屋への侵入を防止することができるものである。
【００２７】
このように、本考案に係るサムターンロック装置１は、ドアノブ２への着脱が容易であると共に、簡易な構造でサムターン３の回動をロックすることができるため、在宅時に合い鍵による不審者の侵入、またサムターン回しや不法解錠行為による不審者の侵入を防止することができるものである。また、ドアノブの周辺の枠や壁への固定がないため、その室の所有者への許可等が不要であるという利点があるものである。
【００２８】
尚、上述した実施例において、前記固定アーム２０は、金属ワイヤ若しくは金属ロッドによって形成されているが、金属プレートを折り曲げて形成しても良いものである。
【符号の説明】
【００２９】
１  サムターンロック装置
２  ドアノブ
３  サムターン
４  軸
１１，１２  挟み込み部
１３  支点
１４，１５  レバー部
１６  スプリング
１７  支持部
２０  固定アーム
２１  装着端部
２２  延出アーム部
２３  固定部
２４  噛合隙間
【図１】
0003185594.tif 000003
【図２】
0003185594.tif 000004
【図３】
0003185594.tif 000005
【図４】
0003185594.tif 000006